(57)【要約】      （修正有）【課題】ハブレス機構を有する回転機構の運動用器具を提供する。【解決手段】運動用器具１はフレーム１０と、フレーム１０に支持される第一回転機構２０と、第一回転機構２０に回転可能に接合される第二回転機構３０と、第二回転機構３０に操作可能に連結され、それの操作により第二回転機構３０が回転される駆動機構４０とを備える。第二回転機構３０はハブレス（ｈｕｂｌｅｓｓ）構造である。第二回転機構３０が回転すると、第二回転機構３０は駆動機構４０の操作により入力された一部のエネルギーを吸収及び保持させて慣性モーメントとする。【選択図】図１
0003203226.tif 000002
【実用新案登録請求の範囲】
【請求項１】
フレームと、
前記フレームに支持される第一回転機構と、
前記第一回転機構に回転可能に接合され、且つハブレスである第二回転機構と、
前記第二回転機構に操作可能に連結される駆動機構であって、前記駆動機構が作動すると、前記第二回転機構が連動されて回転を行う駆動機構とを備え、
前記第二回転機構が回転されると、前記第二回転機構は一部の前記駆動機構の操作のエネルギーを吸収及び保持させて慣性モーメントとすることを特徴とする、
運動用器具。
【請求項２】
前記第一回転機構が回転すると、前記第一回転機構は前記第二回転機構により一部の前記駆動機構の操作のエネルギーを吸収及び保持させて慣性モーメントとすることを特徴とする、請求項１に記載の運動用器具。
【請求項３】
前記駆動機構は前記第二回転機構に連結される少なくとも１つの連結部材を備え、前記駆動機構は閉鎖軌跡で運動を行い、前記閉鎖軌跡の回転速度は、前記第二回転機構の回転速度と同じであることを特徴とする、請求項１に記載の運動用器具。
【請求項４】
前記駆動機構は前記第二回転機構に連結される少なくとも１つの連結部材を備え、前記駆動機構は楕円軌跡で運動を行うことを特徴とする、請求項１に記載の運動用器具。
【請求項５】
前記第二回転機構は第一周辺表面及び前記第一周辺表面に位置される凹部を備え、前記第一回転機構は第二周辺表面及び前記第二周辺表面に位置される凸部を含み、且つ前記凸部は前記凹部内に延伸されることを特徴とする、請求項１に記載の運動用器具。
【請求項６】
前記第二回転機構は第一周辺表面及び前記第一周辺表面に位置される凸部を備え、前記第一回転機構は第二周辺表面及び前記第二周辺表面に位置される凹部を含み、且つ前記凸部は前記凹部内に延伸されることを特徴とする、請求項１に記載の運動用器具。
【請求項７】
前記運動用器具は抵抗装置をさらに備え、前記抵抗装置は前記第二回転機構に設置される伝導装置及び前記フレームに設置される磁性装置を含み、前記伝導装置及び磁性装置は相互に作用し合って前記第二回転機構の回転を阻害させる抵抗力を発生させることを特徴とする、請求項１に記載の運動用器具。
【請求項８】
前記伝導装置は前記第二回転機構の周辺表面に設置されることを特徴とする、請求項７に記載の運動用器具。
【請求項９】
前記第一回転機構は複数のホイールを備え、前記第二回転機構はハブレスフライホイールを含み、前記ハブレスフライホイールは前記第一回転機構の少なくとも２つの前記ホイールに支持されることを特徴とする、請求項１に記載の運動用器具。
【請求項１０】
前記複数のホイールはハブレスフライホイールの周辺表面上で前記ハブレスフライホイールに回転可能に接合されることを特徴とする、請求項９に記載の運動用器具。
【請求項１１】
前記複数のホイールは前記ハブレスフライホイールを包囲させ、前記ハブレスフライホイールの周辺表面の回転が前記複数のホイールに駆動されることを特徴とする、請求項９に記載の運動用器具。
【請求項１２】
前記運動用器具は調整器をさらに備え、前記調整器は前記複数のホイールの内の少なくとも１つのホイールに対して圧力を加え、前記少なくとも１つのホイールが前記ハブレスフライホイールに当接され、前記圧力が加えられる方向は前記少なくとも１つのホイールの回転中心から偏向されることを特徴とする、請求項９に記載の運動用器具。
【請求項１３】
前記ハブレスフライホイールはインナーリング及びアウターリングを備え、前記インナーリングの外周辺表面は前記アウターリングの内周辺表面に対向され、前記アウターリングは前記複数のホイールに回転可能に接合されることを特徴とする、請求項９に記載の運動用器具。
【請求項１４】
前記駆動機構は前記インナーリングに連結されることを特徴とする、請求項１３に記載の運動用器具。
【請求項１５】
前記ハブレスフライホイールに取り外し可能に装設される１つ或いは複数の重量ブロックをさらに備えることを特徴とする、請求項９に記載の運動用器具。
【請求項１６】
前記第一回転機構は複数のボール及び前記フレームに固定されるアウターリングを備え、第二回転機構は前記駆動機構に連結されるインナーリングを含み、前記インナーリング及び前記アウターリングは前記複数のボールを掴持させることを特徴とする、請求項１に記載の運動用器具。
【考案の詳細な説明】
【技術分野】
【０００１】
本考案は、運動用器具に関し、更に詳しくは、ハブレス機構を有する回転機構の運動用器具に関する。
【背景技術】
【０００２】
従来の運動用器具は通常回転機構を有し、使用者は運動用器具を操作してトレーニングを行う。例えば、使用者は回転機構により連続的な運動を行える。操作をスムーズにするために、従来の運動用器具は通常変換ユニットを提供し、使用者が出力するエネルギーを吸収及び保持させるか、或いは改変させる。
【考案の概要】
【考案が解決しようとする課題】
【０００３】
しかしながら、前述した従来の技術では、変換ユニットが運動用器具の設計をより複雑にさせ、運動用器具のメンテナンスコストも増加させた。例えば、変換ユニットは、ステップアップ（ｓｔｅｐ−ｕｐ）システム等の歯車或いは滑車システムが回転機構に結合される。歯車或いは滑車システムの器具は、設計不良やメンテナンス不足により、摩損して容易に金属疲労を起こした。
【０００４】
そこで、操作をスムーズに保持させる前提の下、本考案者は上記の欠点が改善可能と考え、鋭意検討を重ねた結果、設計が簡単で、製造コストが低く、メンテナンスも便利な運動用器具を提供することを見出した。
【０００５】
本考案は、このような従来の問題に鑑みてなされたものであり、ハブレス機構を有する回転機構の運動用器具を提供することを主目的とする。
【課題を解決するための手段】
【０００６】
上述した課題を解決し、上記目的を達成するための本考案に係る運動用器具は、フレームと、前記フレームに支持される第一回転機構と、第一回転機構に回転可能に接合される第二回転機構と、第二回転機構に操作可能に連結され、それの操作により第二回転機構が連動されて回転される駆動機構とを備える。
【０００７】
本考案の他の実施形態によれば、本考案に係る運動用器具は、フレームと、フレームに支持される複数のホイールと、周辺表面が複数のホイールの内の少なくとも１つに接合されてそれの回転により接合されるホイールが連動されて一緒に回転されるハブレスフライホイールと、ハブレスフライホイールに操作可能に連結されると共に使用者の操作のエネルギーを受ける連結部材を含む連結システムとを備える。ハブレスフライホイールが回転すると、ハブレスフライホイールは慣性モーメントを保持させる。
【０００８】
本考案の他の実施形態によれば、本考案に係る運動用器具はフレームを備える。フレームは台座と、第一枠体部材と、第二枠体部材と、第三枠体部材とを有する。台座は第一端及び第二端を含む。第三枠体部材は第一枠体部材から延伸される。台座は第一枠体部材及び第二枠体部材に連結されて台座の第一端に第一空間が形成される。運動用器具は、前記フレームの第一空間に内設される複数のホイール及び前記第一空間内に位置されるハブレスフライホイールをさらに備え、且つ前記複数のフライホイールに回転可能に接合される。ハブレスフライホイールは慣性モーメントを保持させる。運動用器具は駆動機構をさらに備え、駆動機構はハブレスフライホイール及び台座の第二端に操作可能に連結される第一対連結部材と、前記第一対連結部材に操作可能に連結される第二対連結部材と、前記第二対連結部材に操作可能に連結される第三対連結部材と、第三枠体部材とを有する。前記第二対連結部材は、楕円軌跡で運動を行う一対の使用者入力装置を有する。
【考案の効果】
【０００９】
本考案の運動用器具は加重されるハブレスフライホイールを有し、使用者の一部の入力エネルギーを吸収及び保持させて慣性モーメントとし、操作がスムーズになる。本考案の実施形態で提供する運動用器具は、簡単な構造、容易な設計、低コスト、メンテナンスの便利さ等の長所を有する。
【図面の簡単な説明】
【００１０】
【図１】本考案の一実施形態による運動用器具を示す外観斜視図である。
【図２】図１に示す運動用器具を示す一部の拡大図である。
【図３】本考案の他の実施形態による運動用器具を示す外観斜視図である。
【図４】本考案の他の実施形態による運動用器具を示す側面図である。
【図５】本考案の他の実施形態による運動用器具を示す外観斜視図である。
【図６】本考案の一実施形態による運動用器具のホイール及びハブレスフライホイールの結合を示す一部の拡大図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
＜実施形態＞
本考案に係る運動用器具は、第一回転機構と、第二回転機構と、駆動機構と、フレームとを有する。前記第二回転機構はハブレス方式で前記第一回転機構に回転可能に接合され、且つ使用者が駆動機構により入力を行って慣性（ｉｎｅｒｔｉａ）に変換させる。本文での、「回転可能に連結」或いは類似する語彙は２つの部材が互いに運動、枢動或いは回転することを指す。
【００１３】
また、本考案のいくつかの実施形態によれば、運動用器具は、第一回転機構と、第二回転機構と、駆動機構と、フレームとを有する。
前記第一回転機構は前記第二回転機構に操作可能に連結され、前記第二回転機構は前記駆動機構に連結され、且つ前記駆動機構により駆動される。前記第一回転機構、前記第二回転機構、及び前記駆動機構は前記フレームに操作可能に連結される。前記第一回転機構、前記第二回転機構、及び前記駆動機構は前記フレームにより支持される。例えば、前記第一回転機構が前記フレームにより直接支持され、前記第二回転機構は前記第一回転機構を介して前記フレームにより間接的に支持され、前記第一回転機構は前記第二回転機構を適当な位置に固定させる。
ある実施形態では、第二回転機構は皿形状或いは環状であり、周辺表面（ｃｉｒｃｕｍｆｅｒｅｎｔｉａｌ  ｓｕｒｆａｃｅ）及びラジアル表面（ｒａｄｉａｌ  ｓｕｒｆａｃｅ）を有する。前記第一回転機構は前記周辺表面及び／或いは前記ラジアル表面に接触されて、前記第二回転機構を適当な位置に固定させる。ある実施形態では、前記第一回転機構と前記第二回転機構との間には多くの接触点を有する。
【００１４】
ある実施形態では、前記フレームは前記運動用器具構造に外付け部材を利用して、前記第一回転機構、前記第二回転機構、及び前記駆動機構を支持させる。一実施形態では、前記運動用器具の一部分、例えば前記フレーム或いは前記フレームの一部分が壁等の環境の物体に連結され、これにより前記第二回転機構を支持させる。前記フレームはいくつかの管状の部材を有し、溶接、ねじ、ボルト、接着或いは他の方式で互いに固定される。或いは、前記フレームのこれら前記部材は一体成形されるか、一部が一体成形で製造される。
ある実施形態では、前記フレームの構造は前記第一回転機構及び第二回転機構の周辺に設置されるいくつかの部材を有する。例えば、前記フレームの一部分が前記第二回転機構を包囲させ、前記第二回転機構が回転すると、その位置は前記第二機構とほぼ同じ水平面に位置され、且つ前記第二回転機構の中心から離れる。
一実施形態では、前記フレームは前記第一回転機構及び前記第二回転機構を完全に包囲させ、前記第一回転機構及び前記第二回転機構の内の何れか１つが回転すると、前記フレーム及び前記第一回転機構或いは前記第二機構が同一の水平面に位置される。前記フレームは合金或いは金属材料であり、例えば鋼、鉛、複合材料、或いは上述の材料の組み合わせで製造される。
【００１５】
第一回転機構は複数のホイールを有する。複数のホイールは前記フレームに連結されると共に自由に回転を行う。これら前記ホイールは相対的に前記フレームに固定される。或いは、前記複数のホイールの少なくとも１つのホイールは、前記フレームまたは前記第二回転機構との相対的な位置を調整できる。前記少なくとも１つのホイールが移動されて前記第二回転機構に離れるか接近すると、前記第二回転機構と前記少なくとも１つのホイールとの間の噛合が調整される。
ある実施形態では、前記複数のホイールの内の少なくとも２つのホイールの相対的な位置が調整される。例えば、前記複数のホイールの少なくとも１つのホイールが脱離、移動、或いは何らかの手段によって前記ホイール及び前記第二回転機構の噛合位置から偏向され、前記第二回転機構及び／或いは前記複数のホイールの少なくとも１つのホイールに対して装設、調整、メンテナンス作業等を行う。前記複数のホイールは金属、プラスチック、複合材料、もしくは上述の材料の組み合わせで製造される。
【００１６】
前記第二回転機構はフライホイールを有し、前記フライホイールは前記第一回転機構に接合されると共に前記第一回転機構により支持される。例えば、前記フライホイールは複数のホイールに接合されると共に前記複数のホイールの少なくとも一部のホイールにより支持される。
前記フライホイールの構造は前記複数のホイールの内の２つ、３つ、４つ、或いはより多くのホイールに回転可能に接合され、且つ前記フライホイールの重量は前記複数のホイールの内の２つ、３つ、４つ、或いはより多くのホイールにより支持される。これにより、前記フライホイールが静止または回転状態になり、前記フライホイールの重量が前記複数のホイールの内の２つ、３つ、４つ、或いはより多くのホイールに伝達される。好ましくは、前記フライホイールの重量が前記複数のホイールの内の２つのホイールにより支持される。好ましくは、前記複数のホイールの内の少なくとも３つのホイールが前記フライホイールに回転可能に接合される。
【００１７】
前記第二回転機構が回転すると、前記第一回転機構の構造が前記第二回転機構の負荷（ｌｏａｄ）を受ける。例えば、前記第一回転機構は複数のホイールを備え、その構造は第二回転機構（例えば、フライホイール）の負荷に抵抗を加え、これにより前記複数のホイールの内の１つ或いは複数のホイールが前記フライホイールの負荷により作用する。ホイールの少なくとも１つの位置が決められ、ホイールが強化されることで他の位置のホイールより高い応力で対抗する。
このほか、ホイールの少なくとも前記位置が決められ、ホイールが強化されることで前記ホイール内の不均一に分布される応力に対抗する。前記非対称の応力の分布は前記ホイールの一部分より前記ホイールの他の部分がより多くの応力を受けることで発生する。好ましくは、前記フライホイールの重量を支持させる前記ホイールは、強靭な材料で製造されるか部材が強化され、例えば、２つの強化板が前記ホイールに挟まれる。
ある実施形態では、前記複数のホイールの少なくとも１つのホイールが他のホイールより少ない負荷を受ける。例えば、前記複数のホイールの内の少なくとも１つのホイールが、前記フライホイールの少量の或いは無視できるレベルの負荷を受ける。
ある実施形態では、前記複数のホイールの少なくとも１つのホイールは、リードイン（ｌｅａｄ−ｉｎ）ホイール或いはリードアウト（ｌｅａｄ−ｏｕｔ）ホイールであり、前記フライホイールの回転をリードする。
一実施形態では、前記フライホイールが回転速度で回転すると、リードインホイール或いはリードアウトホイールが小さいか０（即ち、無）の前記フライホイールの重量を受け、また、前記リードインホイール或いはリードアウトホイールは強度の低い材質で製造される。強度の低い材質とは、多くのフライホイールの負荷（重量）を受けるホイールを製造する材質に比べ、コストが削減されるものを指す。注意すべきは、前記第一回転機構のホイールの強度は前記ホイールの位置、前記ホイールの機能、及び静止或いは回転状態での前記ホイールの負荷に基づいて決定される点である。
【００１８】
ある実施形態では、前記第一回転機構及び前記第二回転機構、或いは両者の内の何れか１つは、緩衝（ｃｕｓｈｉｏｎ）機構に操作可能に連結される。例えば、緩衝機構は前記第一回転機構に操作可能に連結され、前記第一回転機構及び前記第二回転機構の両者または何れか１つの回転が引き起こす振動を吸収させて、フライホイールに必要な回転を獲得させる。
いくつかの前記第一回転機構が複数のホイールを有する実施形態において、緩衝機構は前記フレーム及び前記複数のホイールの内の少なくとも１つに操作可能に連結される。または、ホイール自体の構造が緩衝構造を有し、例えば、前記ホイールが弾性材料を有する。なお、ある実施形態では、緩衝機構及び前記第一回転機構及び／或いは前記第二回転機構は一体である。
他の実施形態では、複数の吸収パッド或いは吸収ユニットが提供され、且つ前記第一回転機構及び前記第二回転機構に連結される。例えば、緩衝機構はばね、制動ホイール、他の型式の減震機構、或いは上述の部材／機構の組み合わせを有する。
【００１９】
第一回転機構と第二回転機構との間は摩擦接触による接合により、２つの回転機構が相互に運動を行う。例えば、フライホイール等の第二回転機構は、第一回転機構（例えば、複数のホイール）に摩擦接触され、前記フライホイールが前記複数のホイールに回転可能に接合される。前記フライホイールと前記複数のホイールとの間の摩擦接触により、前記フライホイールが回転され、前記フライホイールと接触されるホイールが連動されて回転される。
ある実施形態では、第二回転機構が回転すると、前記第一回転機構と前記第二回転機構との間の摩擦接触は低下する。
ある実施形態では、前記第一回転機構と前記第二回転機構との間には複数の接触点を有し、前記接触点の内の少なくとも１つは、特定の速度で回転を行って接触されるか、永久に接触されるか、或いは接触が不要である。例えば、前記複数のホイールの少なくとも１つは、フライホイールとの間が滑動（ｓｌｉｐｐａｇｅ）或いは非接触（ｎｏｎ−ｃｏｎｔａｃｔ）でもよく、これにより前記フライホイールの回転が前記ホイールに不完全に接触されるか非接触の状況でも支持される。例えば、運動用器具の６つのホイールの少なくとも１つのホイールは、前記フライホイールから滑落（ｓｌｉｐ）されるか脱離（ｄｉｓｅｎｇａｇｅ）され、前記フライホイールが回転されるか一定の速度で持続的に回転される。
【００２０】
本考案のある実施形態によれば、第二回転機構はハブレス（ｈｕｂｌｅｓｓ）のフライホイールを有する。例えば、フライホイールは環状ハブレスであり、内径と、外径と、内径及び外径の間のラジアルの長さと、フライホイールの周辺の外囲に垂直を呈する方向の厚さとを有する。即ち、ハブレスフライホイールの厚さは従来の軸部を有するフライホイールが軸部方向に沿って延伸される厚さに類似する。例えば、ハブレスフライホイールは環状に類似する。
ある実施形態では、ハブレスフライホイールの内径と外径との間のラジアルの長さは、運動用器具の種類及び構造に基づいて、ラジアルの長さが延伸され、異なるサイズ及び重量の各種のフライホイールが製造される。
【００２１】
ハブレスフライホイール等の第二回転機構は、前記複数のホイール等の前記第一回転機構に接合される。接合されることで前記ハブレスフライホイールが連動されて回転される。例えば、前記ハブレスフライホイールと前記第一回転機構との間の接合のみにより、前記ハブレスフライホイールが回転される。
ある実施形態では、前記第二回転機構及び前記第一回転機構の操作可能な連結は、軸部、ハブアンドスポーク（ｈｕｂ−ａｎｄ−ｓｐｏｋｅ）、及び第二回転機構の回転中心によるものではない。
ある実施形態では、第一回転機構及び第二回転機構の間の接合により、２つの回転機構の間が相対的に変移する。例えば、前記接合により、前記ハブレスフライホイールの回転中心が回転するさいには、前記フライホイールが静止されるさいの幾何的中心と重畳しない。緩衝機構が提供されることで上述の変移を達成させる。
しかしながら、ある実施形態では、フライホイールの静態或いは幾何的中心及びハブレスフライホイールの回転中心からの偏移は不要であり、且つ前記ハブレスフライホイールが第一回転機構に対して行う変移、或いは前記ハブレスフライホイールが前記第一回転機構の一部分に対して行う変移は、最小化される。
【００２２】
ある実施形態では、第一回転機構は自身に圧力を加える。例えば、前記第一回転機構は複数のホイールを有し、その内の少なくとも１つのホイールは第一回転機構に圧力を加える。調整器は第一回転機構に加えられる圧力の調整に用いられ、例えば、第一回転機構と第二回転機構との間の接触を達成させる。
ある実施形態では、前記第一回転機構のホイールは一方向に沿って調整され、前記第二回転機構の半径と前述の調整された方向との間には鋭角が形成され、前記半径は前記第二回転機構及び前記ホイールの接触点を通過させる。
【００２３】
ある実施形態では、前記第一回転機構は複数のホイールを有し、前記第二回転機構はハブレスフライホイールを有する。前記ハブレスフライホイールは周辺表面を有し、前記周辺表面は前記複数のホイールの内の少なくとも１つに接合される凹部を有する。
ある実施形態では、前記複数のホイールの内の少なくとも１つの周辺表面は凸部を含み、前記ハブレスフライホイールの前記周辺表面の凹部に接合される。
ある実施形態では、前記ハブレスフライホイールは前記周辺表面に凸部を有し、前記複数のホイールの内の少なくとも１つの周辺表面は凹部を含み、前記ハブレスフライホイールの前記周辺表面の凸部に接合される。
ある実施形態では、前記ハブレスフライホイールは凸部及び凹部を有し、前記複数のホイールの内の少なくとも１つの凹部及び凸部にそれぞれ接合される。
【００２４】
前記駆動機構は前記第二回転機構に連結される。例えば、前記駆動機構は前記第二回転機構に操作可能に連結され、且つ前記第二回転機構運動を駆動させる。
ある実施形態では、前記第二回転機構はハブレスフライホイールであり、前記駆動機構は前記フライホイールの一側或いは二側に設置される。各前記第二回転機構の一側は前記駆動機構に連結され、且つ２つの接合点は１８０度の間隔をあける。
ある実施形態では、接合点はフライホイールのラジアル表面にある。或いは、前記駆動機構が先ずブラケット（ｂｒａｃｋｅｔ）等の連結部材に連結された後、前記連結部材或いは前記ブラケットが前記フライホイールに連結される。
ある実施形態では、駆動機構は連結物を有し、フライホイールに連結されて回転点或いは枢動点が形成され、前記駆動機構の連結物と前記フライホイールとの間で相対的に運動を行う。例えば、前記駆動機構、或いは前記駆動機構の一部分または連結物はハブレスフライホイール等の前記第二回転機構に連結される。また、前記フライホイールが回転すると、前記駆動機構、或いは前記駆動機構の一部分または連結物が回転、枢動、もしくは前記フライホイールに対して運動を行う。
ある実施形態では、前記駆動機構は連結物（部材）或いは連結物（部材）に連結される他の部材を有し、第二回転機構と同調して運動を行う。前記フライホイールが運動を行うと、前記駆動機構が経路に沿って運動を行う。前記駆動機構の連結物（部材）は、閉鎖経路や往復経路等の経路に沿って運動を行う。前記駆動機構の連結物（部材）の運動経路は、円形経路と、楕円経路と、往復経路と、線形経路と、非線形経路と、上述の経路に相似する経路と、或いは上述の経路の組み合わせとを含む。
ある実施形態では、前記駆動機構、或いは１つないしは複数の連結物（部材）は、例えば一対のペダル、ハンドルまたはパッドであり、閉鎖経路に沿って運動を行い、且つその速度は前記第二回転機構の速度と同じである。
ある実施形態では、前記駆動機構は連結物（部材）或いは部材を備え、連結物（部材）或いは部材の回転の角速度は前記第二回転機構の角速度と同じである。使用者の入力を受けるペダル、ハンドル、或いはパッドは前記第二回転機構の二側に設置され、例えばハブレスフライホイールの二側のラジアル表面に設置される。
【００２５】
ある実施形態では、駆動機構は複数の連結物（部材）或いは連結システムを有し、連結物に所定の及び／或いは調整可能な動力（ｋｉｎｅｍａｔｉｃｓ）を提供する。これら前記連結物（部材）は互いに連結され、設計上運動用器具の使用者が特定のトレーニングを行える。例えば、前記駆動機構は連結物を有し、使用者は身体の一部を使った運動を行え、これは（制限されるわけではないが）楕円或いは楕円に近似する運動、円形或いは円形に近似する運動、線形或いは線形に近似する運動、弧形或いは弧形に近似する運動、または上述の運動の組み合わせを含む。前記駆動機構は設計上、使用者が連続的な運動や往復運動を行える。
ある実施形態では、前記駆動機構は設計上、使用者が時計回り或いは反時計回り方向に前記第二回転機構を駆動させる。
【００２６】
ある実施形態では、前記駆動機構は使用者の入力を前記第二回転機構に伝達させる。例えば、前記駆動機構は使用者の入力を、前記第二回転機構に直接伝達させる。使用者は前記駆動機構を直接操作することで、前記第二駆動機構を回転させる。
また、ある実施形態では、前記駆動機構はパッド（ｐａｄｓ）と、ペダルと、或いはハンドルとを備え、使用者が動作させる。または、使用者が前記駆動機構に連結される１つ或いは複数の連結物を作用させると、前記第二回転機構が回転を行う。
ある実施形態では、前記駆動機構が伝達させる使用者の入力の形態は、圧力と、仕事率と、力と、重量と、或いはエネルギーとを含み、第二回転機構及び／或いは第一回転機構を回転させる。
【００２７】
使用者が前記駆動機構を操作すると、前記第二回転機構の構造がエネルギーを吸収させる。前記第二駆動機構の構造が使用者の入力を吸収させ、使用者の入力（例えば、操作エネルギー）は前記第二回転機構に直接提供される慣性モーメント（ｍｏｍｅｎｔ  ｏｆ  ｉｎｅｒｔｉａ）となる。
ある実施形態では、第二回転機構はハブレスフライホイールを備え、前記使用者が前記駆動機構を操作すると、前記ハブレスフライホイールが使用者の入力を吸収させ、且つ前記使用者が入力させる少なくとも１つの量は、前記ハブレスフライホイールに直接提供される慣性モーメントである。
ある実施形態では、前記ハブレスフライホイールが加重され、前記フライホイールが回転すると慣性モーメントが発生する。例えば、前記第二回転機構の慣性モーメントは、前記第二回転機構の周辺部分にのみ発生する。
ある実施形態では、ハブレスフライホイール等の前記第二回転機構は、使用者が駆動機構によって行う入力の実質的な大部分（ｓｕｂｓｔａｎｔｉａｌ  ａｍｏｕｎｔ）を回転エネルギーに変換させる。或いは、前記使用者の大部分の入力は、フライホイールにより第一回転機構及び第二回転機構の回転エネルギーに変換される。
ある実施形態では、使用者が駆動機構により行う入力の大部分がハブレスフライホイールに伝達され、且つ慣性モーメント及びフライホイールの回転速度の形式により、フライホイールの回転エネルギーに変換される。
いくつかの例では、第二回転機構の構造は慣性モーメントを提供し、運動用器具の使用者がスムーズに連続的に騎乗する感覚を創造する。これらの実施形態では、第二回転機構は加重されるハブレスフライホイールである。ハブレスフライホイールは一定速度の慣性回転を提供する。
ある実施形態では、ハブレスフライホイール等の第二回転機構は、加重され、且つ唯一のエネルギー吸収機構となり、使用者の入力を変換させ、運動用器具の慣性モーメントを提供する。この設計の長所は、運動用器具は第二回転機構が単独で使用されるか、或いは第一回転機構及び第二回転機構が結合されて使用され、慣性モーメントを発生させ、慣性モーメントを発生させる従来の歯車システムに頻繁に発生する機械の損壊の可能性を回避させるか低下させる点である。
本考案のいくつかの実施形態では、従来の慣性を発生させる歯車或いは滑車システムが不要となる。
【００２８】
ある実施形態では、第一回転機構は加重され、第二回転機構に接合されて慣性モーメントを提供する。例えば、第一回転機構及び第二回転機構が一致して行動し、且つ第一回転機構及び第二回転機構が脱離していなければ、少なくともいくつか（一部分）の使用者の入力が慣性モーメントの形式で吸収されて第一回転機構に保存される。
ある実施形態では、第一回転機構は複数のホイールであり、複数のホイールの内の少なくとも１つが加重され、第二回転機構との接合により、使用者が駆動機構を動作させる入力の一部分が吸収され、慣性モーメントを提供する。これにより、第一回転機構の慣性モーメントが増加することで、第二回転機構の重量を増加させる必要がなく、使用者はより高い慣性モーメントを体験できる。第一回転機構の慣性を増加させることのもう１つの長所は、使用者が運動用器具を操作してトレーニングを開始するさいに、感覚的に容易になる点である。
【００２９】
さらに、第二回転機構及び／或いは第一回転機構は一定の重量で構築される。或いは／このほか、１つ或いは複数の重量ブロックは第一回転機構及び／或いは第二回転機構に取り外し可能に装設される。
ある実施形態では、第二回転機構は、インナーリング及びアウターリングからなるハブレスフライホイールを有し、１つ或いは複数の重量ブロックはインナーリングとアウターリングとの間に装設される。
ある実施形態では、１つ或いは複数の重量ブロックはハブレスフライホイールに隣接されるアウターリングの外部の周囲に装設される。
ある実施形態では、第一回転機構は複数のホイールを有し、少なくとも１つのホイールの構造は重荷を含み、前記重荷は使用者が体験する全ての回転慣性の一部分に貢献する。重荷或いは重量ブロックの形式は、立方形、皿型、環状、或いは第一回転機構及び／或いは第二回転機構に適合すればどのような形状でもよい。
【００３０】
ある実施形態では、第二回転機構及び／或いは第一回転機構が提供する慣性モーメントは調整される。例えば、１つ或いは複数の重荷が第一回転機構及び／或いは第二回転機構に装設されるか取り除かれる。
なお、ある実施形態では、１つ或いは複数の重荷が第一回転機構及び／或いは第二回転機構に任意で提供される。第一回転機構及び／或いは第二回転機構の重荷の数量及び位置は調整可能であり、必要な慣性モーメントを達成させる。
ある実施形態では、重荷が第一回転機構及び／或いは第二回転機構の周辺に提供されるか接近される。
【００３１】
ある実施形態では、前記ハブレスフライホイールがラジアル表面に接近する箇所にはストッパー（ｓｔｏｐｐｅｒ）を有し、ストッパーによりフライホイールの側面の移動が制限される。ストッパーはホイールやボール等の回転装置を備え、または類似する装置によりフライホイールの側面の移動を制限させる。
ある実施形態では、第二回転機構の側面の移動を制限させる機能は、第一回転機構により実現される。例えば、第一回転機構は周辺表面からなる少なくとも１つのホイールを有し、前記周辺表面は凹部を含む。前記第二回転機構は前記第一回転機構に接合され、前記第二回転機構の側面の移動は前記ホイールの前記凹部の側壁により制限される。
【００３２】
本考案のある実施形態によれば、運動用器具は抵抗装置を有し、前記第二回転機構及び／或いは第一回転機構の回転を阻害する力を提供する。抵抗装置は機械式、電子式、電磁式、或いは上述の型式の組み合わせである。
ある実施形態では、磁気抵抗装置（ｍａｇｎｅｔｉｃ  ｒｅｓｉｓｔａｎｃｅ  ｄｅｖｉｃｅ）が磁性装置（ｍａｇｎｅｔｉｃ  ｄｅｖｉｃｅ）及び伝導装置（ｃｏｎｄｕｃｔｉｖｅ  ｄｅｖｉｃｅ）を有する。例えば、伝導装置は第二回転機構に連結され、磁性装置は伝導装置に近接されて設置され、これにより伝導装置が磁性装置に対して移動すると、前記伝導装置及び第二回転機構の移動とは反対の電磁力が発生する。
ある実施形態では、磁性装置（ｍａｇｎｅｔｉｃ  ｄｅｖｉｃｅ）が前記第二回転機構の下方に装設され、且つ伝導装置が第二回転機構の周辺表面に装設され、これにより前記磁性装置と前記伝導装置との間に第二回転機構の回転とは反対の力が発生する。例えば、第二回転機構がハブレスフライホイール及び前記フライホイールの周辺表面に提供される伝導帯（ｃｏｎｄｕｃｔｉｖｅ  ｓｔｒｉｐ）を有し、且つ前記伝導帯がフライホイールに追随して回転すると、前記伝導帯及び磁石或いは電磁に交互作用が発生する。
ある実施形態では、前記第二回転機構が周辺表面からなるハブレスフライホイールを有し、前記周辺表面が凹部及び前記凹部に提供される伝導装置を含む。
ある実施形態では、伝導装置が前記ハブレスフライホイールのラジアル表面に提供され、且つ磁性装置が前記伝導装置の付近に装設される。例えば、伝導材質で製造される複数の断片がハブレスフライホイールのラジアル表面に提供される。或いは、環状の伝導帯がハブレスフライホイールのラジアル或いは周辺表面に提供される。
ある実施形態では、伝導装置が第二回転機構に提供され、前記伝導装置と前記第一回転機構との間の接触が最小化されるか除去される。例えば、第一回転機構が複数のホイールを有し、その内の１つのホイールが前記第二回転機構に接合され、前記ホイールの周辺表面には凹部を含み、第二回転機構の伝導装置との接触を回避させる。
ある実施形態では、他の或いは第二抵抗装置が前記駆動機構に任意で連結され、駆動機構の移動とは反対の抵抗を発生させる。例えば、磁性装置及び伝導装置が提供されて、前記駆動機構の２つの連結された相対運動を阻害させ、もしくは前記駆動機構の前記運動用器具に連結されるフレームとの間の相対運動を阻害させる。
【００３３】
ある実施形態では、第二回転機構は、インナーリング及びアウターリングで構成されるハブレスフライホイールを有する。前記インナーリングは最大直径を有し、これは前記アウターリングの内径より小さい。前記インナーリング及び前記アウターリングは同中心（ｃｏｎｃｅｎｔｒｉｃ）である。前記インナーリングは前記アウターリングの内に隠される。例えば、前記インナーリングの外周辺表面は、前記アウターリングの内周辺表面に対向される。前記アウターリングは前記第一回転機構に接合される。
ある実施形態では、前記駆動機構と前記ハブレスフライホイールとの間には回転可能連結（ｒｏｔａｔａｂｌｅ  ｊｏｉｎｔ）を有する。或いは、前記駆動機構は前記アウターリングまたは前記インナーリングに操作可能に連結される。
【００３４】
なお、ある実施形態では、第二回転機構は第一ハブレスフライホイール及び第二ハブレスフライホイールを有し、両者は近接されるか、両者の間には距離を有する。第一ハブレスフライホイール及び第二ハブレスフライホイールは切り離された第一回転機構にそれぞれ接合される。第一ハブレスフライホイール及び第二ハブレスフライホイールは同じ駆動機構に操作可能に連結され、且つ第一ハブレスフライホイール及び第二ハブレスフライホイールは一致して同調して回転を行う。或いは、第一ハブレスフライホイール及び第二ハブレスフライホイールは前述の駆動機構にそれぞれ操作可能に連結される。
この設計により、使用者は第一ハブレスフライホイールまたは第二ハブレスフライホイールを選択できる。例えば、第一ハブレスフライホイール及び第二ハブレスフライホイールは同調せずに回転を行う。例えば、第一ハブレスフライホイールは第二ハブレスフライホイールとは異なる角速度で回転を行う。同じ時間に、第一フライホイール及び第二フライホイールは異なる方向に回転を行う。このほか、第一フライホイール及び第二フライホイールの内の１つが完全に停止され、他のフライホイールが回転を行う。ある実施形態では、２種類の運動を有するように設計され、各種の運動に対応される駆動機構を有する。
【００３５】
ある実施形態では、第一回転機構及び第二回転機構の結合は、前記運動用器具のフレームと組み合わせられ、回転慣性を提供するユニットとなる。例えば、第一回転機構及び第二回転機構の結合は、軸受け機構を有する。第二回転機構はインナーリング等の回転リングであり、前記第一回転機構は複数のボール等の複数のホイールを有し、且つアウターリングは前記複数のボールに必要な支持を提供する。
前記複数のボールはフレームのインナーリングに連結されてアウターリングに包囲される。ここでは、軸受けを有する構造は、前記インナーリングが前記複数のホイールに回転可能に接合される。前記インナーリングは加重され、回転慣性を提供する。前述のように、前記インナーリング及び前記駆動機構に回転可能に連結されることで、前記インナーリングは前記駆動機構により回転される。
【００３６】
図１は本考案の第１実施形態による運動用器具１を示す外観斜視図であり、図２は図１に示す運動用器具１を示す一部の拡大図である。図１及び図２に示すように、運動用器具１はフレーム１０と、第一回転機構２０と、第二回転機構３０と、駆動機構４０とを有する。フレーム１０は、床に水平に設置されると共に第一枠体部材１０２及び第二枠体部材１０４に連結される台座１００を備える。
第一枠体部材１０２及び第二枠体部材１０４は運動用器具１に近接される一端、例えば前端に設置される。これにより、第一枠体部材１０２及び第二枠体部材１０４は通常運動用器具の使用者の前方に位置される。第一枠体部材１０２及び第二枠体部材１０４の形状は湾曲部分を含み、且つ２つの部材１０２／１０４は互いに連結され、第一回転機構２０及び第二回転機構３０の収容に用いられる空間が包囲される。
ある実施形態では、第一枠体部材１０２及び第二枠体部材１０４は単一の部材で代替でき、或いは、第一枠体部材１０２、第二枠体部材１０４及びフレーム１０は一体成形で製造される。
ある実施形態では、フレーム１０は第一回転機構２０及び第二回転機構３０を完全に被覆させるか被覆させない。第一回転機構２０及び／或いは第二回転機構３０の一部或いは全部が露出されてフレーム１０に被覆されない。
【００３７】
第一回転機構２０は６つのホイール２００を備える。これは、例えばホイール２００ａ、２００ｂ、２００ｃ、２００ｄ、２００ｅ、２００ｆ等であり、これらのホイール２００はフレーム１０の位置にそれぞれ装設される（図１及び図２参照）。
ホイール２００ａ及びホイール２００ｂは台座１００に設置され、且つ「台座ホイール」と呼ばれる。ホイール２００ａ及びホイール２００ｂは距離を有し、前記距離は第二回転機構３０の直径より小さい。
本実施形態では、ホイール２００ａ及びホイール２００ｂの構造は十分な強度を有し、例えば、その強度は第二回転機構３０の大部分の重量を支持するのに十分である。ホイール２００ｃ及びホイール２００ｄは第一枠体部材１０２及び第二枠体部材１０４にそれぞれ設置される。ホイール２００ｃ及びホイール２００ｄはリードインホイール或いはリードアウトホイールであり、第二回転機構３０の回転方向を決定させる。例えば、ホイール２００ｃ及び／或いはホイール２００ｄが調整されて第二回転機構３０に向けられる。ホイール２００ｅ及びホイール２００ｆは第一枠体部材１０２及び第二枠体部材１０４にそれぞれ設置され、且つ第二回転機構３０に隣接される上方に位置される。ホイール２００ｅ及びホイール２００ｆはリードインホイール或いはリードアウトホイールである。各ホイール２００は軸部２１０の周りを自由回転し、軸部２１０はブラケット２２０により支持される。ブラケット２２０は溶接、螺合、ボルト、或いは他の方式でフレーム１０に連結される。
ホイール２００ｄ、２００ｅ、及び２００ｆについては、ブラケット２２０は軸部２３０に枢接され、軸部２３０及びフレーム１０が固定される。フレーム１０は調整器に連結される突起部２４０を有し、調整器はねじ或いは差動ねじ（ｄｉｆｆｅｒｅｎｔｉａｌ  ｓｃｒｅｗ）２５０であり、或いは尖端等のブラケット２２０に近接される一端に位置される。
ねじ２５０はねじ山に噛合される突起部２４０を有し、回転されてブラケット２２０の方向に移動される。ねじ２５０は回転されてブラケット２２０に当接されて推進させ、これによりホイール２００が推進されて第二回転機構３０に当接される。ねじ２５０の方向は中心を通過させ、例えばホイール２００の軸部２１０を通過させる。或いは、ねじ２５０の方向はホイール２００の中心から偏向し、偏心圧力（ｏｆｆ−ｃｅｎｔｅｒｅｄ  ｐｒｅｓｓｕｒｅ）がブラケット２２０によりホイール２００に加えられる。ある実施形態では、ねじ２５０の尖端はどの角度でブラケット２２０の表面に接触してもよい。
【００３８】
第二回転機構３０はハブレスフライホイール３００を有し、例に示すのみであり制限するわけではないが、これは環状であり、ハブ（ｈｕｂ）、スポーク（ｓｐｏｋｅ）、或いは回転の物理的中心を有しない。
本実施形態では、ハブレスフライホイール３００は複数の加重リングを有し、互いに螺合方式で連結される。具体的には、ハブレスフライホイール３００は単一の加重リングを有する。ハブレスフライホイール３００は外径Ｄ１と、内径Ｄ２と、外径Ｄ１及び内径Ｄ２の間のラジアルの長さＬとを有する。外径Ｄ１、内径Ｄ２、及びラジアルの長さＬによりハブレスフライホイール３００の二側の各ラジアル表面が定義される。ハブレスフライホイール３００は厚さＴを有し、ハブレスフライホイールの切り離される２つのラジアル表面に直交になる（図６参照）。
本実施形態では、外径Ｄ１、内径Ｄ２、ラジアルの長さＬ、及び厚さＴはそれぞれ約５００ｍｍ、約４８０ｍｍ、約２０ｍｍ、及び約８０ｍｍであり、且つハブレスフライホイール３００は鋼を有し、重量は約１５キログラムである。しかしながら、他の重量でもよい。例えば、ハブレスフライホイール３０は、制限するわけではないが、重量の範囲は約６キログラムから約１２キログラムであり、ハブレスフライホイールのサイズにより決定される。通常、ハブレスフライホイール３００の重量は、運動用器具の種類、型番、及び／或いは設計により決定され、異なる慣性を発生させる。
【００３９】
ハブレスフライホイール３００はホイール２００に回転可能に接合される。ハブレスフライホイール３００の回転により、１つ或いは複数のホイール２００が回転を行う。ホイール２００は第二回転機構３０の周辺に設置されると共にハブレスフライホイール３００の外周辺表面に接合される。
他の実施形態では、ホイール２００はハブレスフライホイール３００に内設されると共にハブレスフライホイール３０の内周辺表面に接合される。
【００４０】
図６は本考案の一実施形態による運動用器具のホイール２００及びハブレスフライホイール３００の結合を示す一部の拡大図である。ハブレスフライホイール３００はホイール２００の周辺表面２６０に接合される周辺表面３１０を有する。例えば、周辺表面３１０はホイール２００ａ、２００ｂ、２００ｃ、２００ｄ、２００ｅ、及び２００ｆの周辺表面２６０に接合される。しかしながら、ホイール２００ｃ、２００ｄ、２００ｅ、及び２００ｆの内の何れか１つが移動されることでホイールがハブレスフライホイール３００から脱離し、或いはねじ２５０が弛められることで、ホイールが持ち上がってハブレスフライホイール３００から分離される。
ある実施形態では、ホイール２００ｃ、２００ｄ、２００ｅ、及び２００ｆの内の何れか１つは自運動用器具１から取り外される。例えば、ハブレスフライホイール３００がホイール２００ａ、ホイール２００ｂ、ホイール２００ｃ、及びホイール２００ｆに回転可能に接合されると、ホイール２００ｄ及びホイール２００ｅはハブレスフライホイール３００から脱離されるか自運動用器具１から取り外される。前述のように、ホイール２００ｄ、ホイール２００ｅ、及びホイール２００ｆは調整可能であり、ハブレスフライホイール３００との異なる接触程度或いは接触圧力を提供する。注意すべきは、ホイール２００がハブレスフライホイール３００との接合を提供し、ハブレスフライホイール３００が回転を行う点である。このほか、ハブレスフライホイール３００が回転すると、互いに隔てられるホイール２００ａ及びホイール２００ｂが堅固な支持を提供し、且つハブレスフライホイール３００の回転は台座１００、フレーム１０の他の部分、或いは運動用器具の他の部材に妨害されない。
【００４１】
本実施形態では、駆動機構４０はいくつかの連結（物／部材）及び接合点を有し、力及び運動量をハブレスフライホイール３００に伝達させる。一対の接合点４００は軸部４０２をそれぞれ有し、ハブレスフライホイール３００の二側の表面、例えば二側のラジアル表面に回転可能に連結される。２つの接合点４００はハブレスフライホイール３００の周辺と１８０度の距離をあける。各接合点４００は軸部４０２に連結され、軸部４０２及びハブレスフライホイール３００が固定され、且つハブレスフライホイール３００のラジアル表面から側リンクロッド４０４の一端に延伸される。前記側リンクロッド４０４の他端はホイール４０６に連結される。接合点４００が駆動されてハブレスフライホイール３００に追随して回転を行い、ホイール４０６が運動用器具１の後端に近接される台座１００のレール４０８で往復移動を行う。スイングロッド４１０は側リンクロッド４０４に回転可能に連結される。
図１に示すように、スイングロッド４１０及び側リンクロッド４０４が連結されて、中段位置に位置されるか近接されて連結される接合点４１２が形成される。スイングロッド４１０の運動用器具の後端に近接される一端はフットパッド４１４に連結され、使用者に操作される。スイングロッド４１０の他端はアームリンク４１６に可動に連結され、接合点４２０が形成される。アームリンク４１６は第三枠体部材１０６（或いは縦方向ロッド１０６）の接合点４２２に可動に連結され、前記縦方向ロッド１０６は第一枠体部材１０２から延伸される。
上述の構造により、スイングロッド４１０及びアームリンク４１６の運動は、接合点４１２により側リンクロッド４０４に伝達される。ハンドル４１８はアームリンク４１６に連結され、使用者に任意で把持される。これにより、一対の側リンクロッド４０４、スイングロッド４１０、アームリンク４１６、接合点４００、接合点４１２、接合点４２０、接合点４２２、ホイール４０６、レール４０８、及びフットパッド４１４が駆動機構４０を構成させ、或いは駆動機構４０の構成部材となり、且つハブレスフライホイール３００に操作可能に連結され、ハブレスフライホイール３００がホイール２００に回転可能に連結される。
この駆動機構４０の設計により、各フットパッド４１４の運動は閉鎖軌跡となる。即ち、使用者がフットパッド４１４により運動用器具１を起動或いは操作させると、フットパッド４１４の運動軌跡が閉鎖軌跡となる。
本実施形態では、フットパッド４１４の運動軌跡は楕円軌跡であり、或いは連結される幾何構造及び駆動機構４０の接合点に基づき、閉鎖軌跡が楕円軌跡に近似する。操作においては、使用者が楕円軌跡或いは楕円に近似する軌跡でフットパッド４１４を連続的に移動させ、使用者の入力は、スイングロッド４１０、側リンクロッド４０４、及び相関する接合点によりハブレスフライホイール３００に伝達され、ハブレスフライホイール３００が駆動されて回転され、ホイール２００がハブレスフライホイール３００の回転を促す。
【００４２】
上述したように、使用者の入力は、駆動機構４０によりハブレスフライホイール３００及び／或いはホイール２００に伝達される。フットパッド４１４に加えられる力は、駆動機構の連結及び接合点により、ハブレスフライホイール３００に伝達され、且つハブレスフライホイール３００が回転を行い、ホイール２００もさらに回転を行う。また、ハブレスフライホイール３００が加重されてホイール２００も任意で加重されることで、使用者の入力が駆動機構４０により伝達され、且つハブレスフライホイール３００の回転エネルギーに変換され、ハブレスフライホイール３００に吸収及び保留される慣性モーメントを含む。
使用者の入力（例えば、操作エネルギー）は、ハブレスフライホイール３００に有効的に伝達され、ステップアップ機構（ｓｔｅｐ−ｕｐ  ｍｅｃｈａｎｉｓｍ）を介する必要はない（図１及び図２参照）。
【００４３】
図２に示すように、運動用器具１は抵抗装置１５０をさらに有する。抵抗装置１５０は、ハブレスフライホイール３００の周辺表面に設置される伝導金属帯（図示せず）をさらに備える。抵抗装置１５０は、伝導金属帯に近接される位置に設置されると共にホイール２００ａとホイール２００ｂとの間に位置される複数の磁石１５２を有する。
ハブレスフライホイール３００が回転すると、磁石１５２と伝導金属帯との間の相互作用により、フライホイール３００の回転を阻害させる力が発生する。他の状況では、運動用器具１は外付け或いは他の抵抗装置を有し、連結される駆動機構４０の間の相対運動を阻害させ、或いは駆動機構４０とフレーム１０との間の相対運動を阻害させる。例えば、伝導装置は（或いは、近接される）側リンクロッド４０４のレール４０８或いは台座１００に近接される位置に提供され、且つ磁性装置は（或いは、近接される）レール４０８或いは台座１００に提供される。伝導装置及び磁性装置は交互に作用し、且つ抵抗を発生させ、側リンクロッド４０４とレール４０８／台座１００との間の相対運動を阻害させる。
【００４４】
図６に示すように、ホイール２００は周辺表面２６０’から延伸される凸部２７０を任意で有し、前記凸部２７０は周辺表面２６０から離れる。ハブレスフライホイール３００の周辺表面には凹部３２０を任意で有する。凸部２７０は凹部３２０内に延伸される。凸部２７０は凹部３２０内に延伸され、ハブレスフライホイール３００の側辺の運動を制限させ、ハブレスフライホイール３００とホイール２００との間の接合を堅固にする。
【００４５】
なお、一対の強化板２８０は任意で、例えば、ボルトにより、ホイール２００のラジアル表面に装設され、ホイール２００の強度を増加させる。例えば、強化板２８０は鋼で製造されてもよい。強化板２８０は大きな直径（ホイール２００の直径より大きい）を任意で有し、強化板２８０の周辺部分２８２がハブレスフライホイール３００のラジアル表面の周辺区域に掛着される（図６参照）。強化板２８０の周辺部分２８２はハブレスフライホイールの側辺の移動を制限させる。
ある実施形態では、ホイール２００は部分を備え、これは大きな直径を有し、ハブレスフライホイールの側辺の移動を制限させる。
【００４６】
図３は本考案の他の実施形態による運動用器具２を示す外観斜視図である。運動用器具２は図１及び図２の運動用器具１と同じ多くの特徴を有する。運動用器具２はフレーム１０’と、第一回転機構２０’と、第二回転機構３０’と、駆動機構４０’とを備える。
フレーム１０’により第一回転機構２０’及び第二回転機構３０’が支持され、その仔細は前述のものと同じか相似する。しかしながら、運動用器具２の第一回転機構２０’及び第二回転機構３０’の重量、サイズ、及び／或いは他の特質は、運動用器具１の第一回転機構２０及び第二回転機構３０とは異なる。図３に示すように、第一回転機構２０’は複数のホイール２００’を有し、第二回転機構３０’はハブレスフライホイール３００’を備える。ハブレスフライホイール３００’及びホイール２００’はフレーム１０’の運動用器具２に近接される後端に設置される。
ある実施形態では、ハブレスフライホイール３００’はハブレスフライホイール３００とは異なる直径を有し、例えば、異なる外径及び異なる内径を有する。駆動機構４０はスイングロッド４１０’及びアームリンク４１６’を含み、これらの連結部材により、ハブレスフライホイール３００’と操作可能に連結される。フットパッド４１４’は連結（機構）の中後段の位置がスイングロッド４１０’に連結される。これにより、駆動機構４０’はフットパッド４１４’を楕円或いは楕円に近似する軌跡で運動させ、且つハブレスフライホイール３００’を回転させる。同様に、駆動機構４０’は連結（機構）及び接合点により使用者の入力を伝達させ、ハブレスフライホイール３００’及びホイール２００’（任意で）が吸収及び保留させる使用者の入力（例えば、操作エネルギー）の少なくとも一部分を慣性モーメントとする。
【００４７】
図４は本考案の他の実施形態による運動用器具３を示す側面図である。運動用器具３は運動用器具１と同じ或いは相似する特徴を有し、異なる箇所は、運動用器具３のハブレスフライホイール３００’’がインナーリング３０１及びアウターリング３０２を備え、それぞれ加重リングであり、いくつかのブロック体３０３により、インナーリング３０１及びアウターリング３０２が同中心で連結される点である。図４に示すように、駆動機構４０’’はハブレスフライホイール３００’’の周辺に設置され、１８０度の距離をあける２つのブロック体３０３がハブレスフライホイール３００’’に操作可能に連結される。  
ある実施形態では、ブロック体３０３が加重され、ハブレスフライホイール３００’’の慣性が増加される。このほか、インナーリング３０１とアウターリング３０２との間、或いはアウターリング３０２の内周辺表面（インナーリング３０１に対向される）は、より多くのブロック体或いは重量が増加される。図４に示すように、同様に、駆動機構４０’’は連結（機構）及び接合点により、使用者の入力を伝達させ、ハブレスフライホイール３００’’が吸収及び保留させる使用者の入力（例えば、操作エネルギー）の少なくとも一部分が慣性モーメントとなる。
【００４８】
図５は本考案の他の実施形態による運動用器具４を示す外観斜視図である。運動用器具４は運動用器具１或いは運動用器具３と相似する特徴を有し、異なる箇所は、運動用器具４がハブレスベアリング３５０を備え、運動用器具１及び運動用器具３の第一回転機構及び第二回転機構を代替させる点である。
ハブレスベアリング３５０はインナーリング３５２と、アウターリング３５４と、インナーリング３５２とアウターリング３５４との間に保留される複数のボール３５６とを有する。アウターリング３５４及び運動用器具４のフレームが固定される。インナーリング３５２は複数のボール３５６に回転可能に接合され、且つ駆動機構に操作可能に連結され、前記駆動機構は運動用器具１及び運動用器具３の駆動機構と同じか類似する。
同様に、図５の駆動機構は連結及び接合点により、使用者の入力を伝達させ、ハブレスベアリング３５０が、或いはより明確には、インナーリング３５２及びボール３５６（任意）が、吸収及び保留させる使用者の入力（例えば、操作エネルギー）の少なくとも一部分が慣性モーメントとなる。
【００４９】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００５０】
１  運動用器具
２  運動用器具
３  運動用器具
４  運動用器具
１０  フレーム
１０’  フレーム
２０  第一回転機構
２０’  第一回転機構
３０  第二回転機構
３０’  第二回転機構
４０  駆動機構
４０’  駆動機構
４０”  駆動機構
１００  台座
１０２  第一枠体部材
１０４  第二枠体部材
１０６  第三枠体部材／縦方向ロッド
１５０  抵抗装置
１５２  磁石
２００  ホイール
２００’  ホイール
２００ａ〜２００ｆ  ホイール
２１０  軸部
２２０  ブラケット
２３０  軸部
２４０  突起部
２５０  差動ねじ
２６０  周辺表面
２６０’  周辺表面
２７０  凸部
２８０  強化板
２８２  周辺部分
３００  ハブレスフライホイール
３００’  ハブレスフライホイール
３００”  ハブレスフライホイール
３０１  インナーリング
３０２  アウターリング
３０３  ブロック体
３１０  周辺表面
３２０  凹部
３５０  ハブレスベアリング
３５２  インナーリング
３５４  アウターリング
３５６  ボール
４００  接合点
４０２  軸部
４０４  側リンクロッド
４０６  ホイール
４０８  レール
４１０  スイングロッド
４１０’  スイングロッド
４１２  接合点
４１４  フットパッド
４１４’  フットパッド
４１６  アームリンク
４１６’  アームリンク
４１８  ハンドル
４２０  接合点
４２２  接合点
Ｄ１  外径
Ｄ２  内径
Ｌ  ラジアルの長さ
Ｔ  厚さ
【図１】
0003203226.tif 000003
【図２】
0003203226.tif 000004
【図３】
0003203226.tif 000005
【図４】
0003203226.tif 000006
【図５】
0003203226.tif 000007
【図６】
0003203226.tif 000008